(57)【要約】      （修正有）【課題】単純なアセンブリを有しながら確実に作動するスイッチング装置を提供する。【解決手段】スイッチング装置は、アクチュエータ３が所定の位置に押圧された場合に作用するスナップ動作スイッチング機構９を有する。このスナップ動作スイッチング機構９は、第１のアクチュエータ要素８を有し、開閉接点６，７との切断及び／又は接触のための少なくとも１つの接点部分が第１の端部の領域に取り付けられ、共通の接点５の第２の端部で旋回するように取り付けられる。更に、スナップ動作スイッチング機構９は、第１の端部を経てアクチュエータ３によって圧力作動を受容することができ、共通の接点５の反対側のハウジング２の内側の端上の第２の端部で旋回するように取り付けられる第２のアクチュエータ要素１１を有し、第１のアクチュエータ要素８との間に引張ばね１２が配置される。【選択図】図２
2012199239.tif 000002
【特許請求の範囲】
【請求項１】
ハウジング（２）と、圧力の作動を受容するアクチュエータ（３）と、少なくとも２つの金属接点要素（５、６）とを含むスイッチング装置であって、該少なくとも１つの接点要素（５）は共通の接点（５１）であり、該少なくとも１つの接点要素（６）は開閉接点であり、該接点要素（５、６）は、該ハウジング（２）の外部から電気的に接触可能であり、スナップ動作スイッチング機構（９）は、該アクチュエータ（３）が所定の位置に押圧された場合に作用し、該スナップ動作スイッチング機構（９）は、少なくとも１つの開閉接点（６１）との切断及び／又は接触のための少なくとも１つの接点部分（８１）が、第１の端部（１０１）の領域に取り付けられ、該共通の接点（５１）の第２の端部（１０２）で旋回するように取り付けられる少なくとも第１のアクチュエータ要素（１０）と、第１の端部（１１１）を経て該アクチュエータ（３）によって圧力作動を受容することができ、該ハウジング（２）の該共通の接点（５１）の反対側の該ハウジング（２）の内側の端（２１）上の第２の端部（１１２）で旋回するように取り付けられる第２のアクチュエータ要素（１１）と、を有し、引張ばね（１２）が、該第１のアクチュエータ要素（１０）と該第２のアクチュエータ要素（１１）との間で配置される、スイッチング装置。
【請求項２】
前記第２のアクチュエータ要素（１１）が、その第２の端部（１１２）に少なくとも１つの凹部（１１３）有し、少なくとも１つの突起（２２）が、前記ハウジング（２）の前記内側の端（２１）に係合し、それによって該第２のアクチュエータ要素（１１）の横方向のずれに対して固定する、請求項１記載のスイッチング装置。
【請求項３】
前記第１のアクチュエータ要素（１０）に接続されている前記接点部分（８１）が、前記少なくとも１つの開閉接点（６１）に対してプレストレッチされる、請求項１又は２のいずれかに記載のスイッチング装置。
【請求項４】
前記開閉接点（６１）が前記ハウジング（２）の前記内側の壁の方へ横方向に配置される、請求項１から３のうちのいずれか一項に記載のスイッチング装置。
【請求項５】
前記スイッチング機構が、少なくとも２つの第１の金属接点要素（５、６）に平行して配置された少なくとも２つの第２の金属接点要素（１５、１６）を含む、請求項１から４のうちのいずれか一項に記載のスイッチング装置。
【請求項６】
前記第２の２つの金属接点要素（１５、１６）が前記第１の２つの金属接点要素（５、６）から電気的に絶縁される、請求項５記載のスイッチング装置。
【請求項７】
前記第２の金属接点要素（１５、１６）が、前記ハウジング（２）で外部から電気的に接触可能であり、共通の接点（１５１）及び少なくとも１つの開閉接点（１６１）を含む、請求項６記載のスイッチング装置。
【請求項８】
前記第１のアクチュエータ要素（１０）が、さらなる開閉接点（１６１）に対してプレストレッチされる該さらなる開閉接点（１６１）との切断及び／又は接触のためのさらなる接点部分（８２）を有する、請求項５から７のうちのいずれか一項に記載のスイッチング装置。
【請求項９】
前記第１のアクチュエータ要素（１０）に接続されている前記２つの接点部分（８１、８２）が互いに電気的に絶縁される、請求項８記載のスイッチング装置。
【請求項１０】
前記第１のアクチュエータ要素（１０）が互いに機械的に接続されている２つの構成要素（１０３、１０４）を有する、請求項９記載のスイッチング装置。
【請求項１１】
前記第１のアクチュエータ要素（１０）の前記２つの構成要素（１０３、１０４）が絶縁要素（８）によって互いに機械的に接続される、請求項１０記載のスイッチング装置。
【請求項１２】
前記開閉接点（６及び／又は６１）が前記共通の接点（５及び／又は１５）に接続され、電気を伝導する方法で、又は、前記スナップ動作スイッチング機構（９）が安定した位置にある時に後者から分離するように接続される、請求項１から１１のうちのいずれか一項に記載のスイッチング装置。
【請求項１３】
前記ハウジング（２）の外部から接触可能であり、さらなる開閉接点（７１及び／又は１７１）を形成するさらなる金属接点要素（７及び／又は１７）を有し、前記切断及び／又は接触のための前記スナップ動作スイッチング機構（９）が前記第１の開閉接点（６１及び／又は１６１）と前記第２の開閉接点（７１及び／又は１７１）との間に提供される、請求項１から１１のうちのいずれか一項に記載のスイッチング装置。
【請求項１４】
前記接点部分（８１、８２）が１つ又は複数のばね要素（８１０、８１１）を有し、前記少なくとも２つのばね要素（８１１、８１２）が異なる長さ（Ｌ１、Ｌ２）である、請求項１から１３のうちのいずれか一項に記載のスイッチング装置。
【請求項１５】
前記開閉接点（６１、７１及び／又は１６１、１７１）に当接しているその端部で、前記ばね要素（８１１、８１２）が、該ばね要素（８１１、８１２）より上に突出する少なくとも１つの開閉接点（８１３、８１４）を各々有する、請求項１４記載のスイッチング装置。
【請求項１６】
前記開閉接点（６、７及び／又は１６、１７）が前記滑り接触点（８１３、８１４）との前記接点領域の少なくとも１つの定められた不規則な点を有する、請求項１５記載のスイッチング装置。
【請求項１７】
前記アクチュエータ（３）及び／又は前記ハウジングカバー（２３）がシーリング要素（１３）により前記ハウジング（２）の方へ密閉される、及び／又は、該ハウジング（２）がみぞ形の方法で形成される、請求項１から１６のうちのいずれか一項に記載のスイッチング装置。
【請求項１８】
前記アクチュエータ（３）が、前記スナップ動作スイッチング機構（９）の前記アセンブリのために押圧されない位置において保たれる、請求項１から１７のうちのいずれか一項に記載のスイッチング装置。
【発明の詳細な説明】
【技術分野】
【０００１】
少なくとも２つのスイッチの位置間の正確なスイッチングが可能であるスイッチング装置が、詳述される。
【背景技術】
【０００２】
上記のスイッチング装置は、日本国特許公開２０１０−０７３６６２Ａ号において開示される。前記スイッチング装置は、非常に複雑なアセンブリによって形成される不都合を有する。
【先行技術文献】
【特許文献】
【０００３】
【特許文献１】特開２０１０−０７３６６２Ａ号公報
【発明の概要】
【課題を解決するための手段】
【０００４】
この状況を考慮して、本発明の主な目的は、より単純なアセンブリを有し、より確実に作動する請求項１の前文によるスイッチング装置を提供することである。
【０００５】
この技術的な問題の解決法は、主な請求項の特徴を備え、一方、本発明の好都合な設計及びさらなる展開は、従属請求項から推定され得る。
【０００６】
技術的な問題は、ハウジングと、２つ以上の作動の圧力を受容するためのアクチュエータと、少なくとも２つ以上の金属接点要素とを有するスイッチング装置において解決される。少なくとも１つの接点要素は共通接点を形成し、少なくとも１つの接点要素は、開閉接点である。接点要素は、ハウジングで外部から電気的に接触可能である。スイッチング装置は、アクチュエータが所定の位置に押圧される時に作用するスナップ動作スイッチング機構を有する。スナップ動作スイッチング機構は少なくとも第１のアクチュエータ要素を有し、そこでは、少なくとも１つの開閉接点との切断及び／又は接触のための少なくとも１つの接触部分が第１の端部の領域に取り付けられる。第１のアクチュエータ要素は、共通接点で第２の端部に旋回するように取り付けられる。スナップ動作スイッチング機構は、第１の端部を経てアクチュエータによって圧力の作動を受容することができる第２のアクチュエータ要素を有する。第２のアクチュエータ要素は、ハウジングの共通接点の反対側のハウジングの内側の端上において、その第２の端部で旋回するように取り付けられる。第２のアクチュエータ要素は、ハウジングの共通接点の横断側に対して反対側にあるハウジングの内側の端上において、その第２の端部で旋回するように取り付けられる。引張ばねは、第１のアクチュエータ要素と第２のアクチュエータ要素との間に位置する。
【発明の効果】
【０００７】
スイッチング装置の好ましい実施態様は、第２のアクチュエータ要素がその第２の端部で少なくとも１つの凹部を有することにおいて特徴付けられる。好ましくは、少なくとも１つの突起が凹部と係合し、突起はハウジングの内側の端に取り付けられ、そこで、第２のアクチュエータ要素の第２の端部が搭載される。突起により、第２のアクチュエータは、横方向のずれに対して固定される。好ましくは、突起の形状は、それらが互いに係合できるように第２のアクチュエータの凹部の形状に適応する。凹部の代わりに、２つ以上の凹部もまた、第２のアクチュエータ要素の第２の端部で提供され得る。したがってこの場合、ハウジングの内側の端上に複数の適切な突起が存在する。
【０００８】
スイッチング装置の他の好ましい実施態様は、第１のアクチュエータ要素に接続されている接点部分が開閉接点に対してプレストレッチされることにおいて特徴付けられる。接点部分のプレストレッチのために、接点部分が、スナップ動作スイッチング機構の動作によって克服されるべき十分に高い滑動抵抗を作成することが確実になる。第１及び第２のアクチュエータ要素間の引張ばねの張力が接点部分の滑動抵抗より高い場合には、スナップ動作スイッチング機構がスナップし、接点部分は、開閉接点から休止位置へ及び／又は休止位置から開閉接点へスナップする。アクチュエータにさらなる圧力が適用されない場合には、スナップ動作スイッチング機構は、引張ばねの張力によりその安定した開始位置へとスナップして戻る。これで、接点部分は、開閉接点及び／又は休止位置へ戻る。
【０００９】
好ましくは、少なくとも１つの開閉接点は、ハウジングの内側の壁の方へ横に配置される。第１のアクチュエータ要素に接続される接点部分は、第１のアクチュエータ要素と開閉接点との間で配置される。好ましくは、開閉接点は、ハウジングの内側の表面と接触する又は内側の表面の凹部に配置されるように配置される。２つの開閉接点を有するスイッチング装置の実施態様において、開閉接点間の内側の壁は、好ましくは滑らかな転移を形成する。したがって、接点部分は、追加の障害を克服する必要なく、２つの開閉接点の間で摺動することができる。接点部分の滑動抵抗の定められた所望の増加及び／又は減少のため、開閉接点自体及び／又は複数の開閉接点自体はしかしながら、凹部又は高さを有する。
【００１０】
スイッチング装置の他の好ましい実施態様は、少なくとも２つの第２の金属接点要素が少なくとも２つの第１の金属接点要素に平行に配置されることにおいて特徴付けられる。この場合、接点要素は共通接点を形成し、さらなる接点要素は、開閉接点である。第１の２つの金属接点要素の共通接点及び開閉接点は、各々の場合に第２の２つの金属接点要素に対して平行に配置される。好ましくは、スナップ動作スイッチング機構はそれぞれ、一対の２つの金属接点要素間に各々配置される。
【００１１】
スイッチング装置の他の好ましい実施態様は、前記スイッチング装置がさらなる金属接点要素の配置を有することにおいて特徴付けられる。好ましくは、スナップ動作スイッチング機構は、少なくとも２つの金属接点要素の２つの隣接した対の間で配置される。
【００１２】
この場合、金属接点要素はまた、２つの同期スナップ動作スイッチング機構によって両側で切り替えることができる。複数のスナップ動作スイッチング機構を有するスイッチング装置の実施態様において、後者は、共通のアクチュエータによって好ましくは同期する。
【００１３】
スイッチング装置の他の好ましい実施態様は、第２の又はさらなる金属接点要素はそれぞれ、少なくとも２つの第１の金属接点要素から及び互いに電気的に絶縁されることにおいて特徴付けられる。
【００１４】
スイッチング装置のアセンブリにより、個々のスイッチユニットが共通の接点及び２つの開閉接点を含む３つの接点要素を好ましくは含む完全に同期するスイッチを提供することができる。より高い信頼性を達成するため、複数の交換ユニットを１つのユニットに結合することができる。
【００１５】
第２の及び／又は更なる金属接点要素は、ハウジングの外部から電気的に接触可能である。この目的のため、金属接点要素は十分にハウジングの底部から好ましくは突出する。
【００１６】
スイッチング装置の他の好ましい実施態様は、ハウジングの外部から好ましくは電気的に接触できるさらなる金属接点要素を有することにおいて特徴付けられる。２つの接点要素、すなわち共通の接点及び開閉接点の各々の群のため、さらなる接点要素は提供される。さらなる接点要素は、さらなる開閉接点を形成する。好ましくは、スナップ動作スイッチング機構は、第１の開閉接点と第２の開閉接点との間の切断及び／又は接触のために提供される。
【００１７】
接点部分及び引張ばねと同様に接点要素、少なくとも第１のアクチュエータ要素は、電気伝導材料、好ましくは電気を通すことができる金属から構成され、そこで、個々の構成要素が異なる電気伝導材料で作成され得る。第２のアクチュエータ要素は必ずしも電気接続の一部ではなく、したがって、金属のような電気伝導材料と同様に、プラスチックのような電気を絶縁する材料で構成されてもよい。
【００１８】
スイッチング装置の好ましい実施態様は、第１のアクチュエータ要素が２つのさらなる開閉接点と切断及び／又は接触のためのさらなる接点部分を有し、さらなる接点部分が２つのさらなる開閉接点に対してプレストレッチされることにおいて特徴付けられる。
【００１９】
好ましくは、第１のアクチュエータ要素に接続される２つの接点部分は、互いに電気的に絶縁される。
【００２０】
スイッチング装置の好ましい実施態様は、第１のアクチュエータ要素が機械的に互いに接続される２つの構成要素を有することにおいて特徴付けられる。スイッチング装置の好ましい実施態様において、２つの構成要素は、絶縁要素によって機械的に互いに接続される。第１のアクチュエータ要素の２つの構成要素の機械的な接続のために、２つの構成要素は共通の要素として機能し、そこで個々の構成要素は互いに電気的に絶縁される。
【００２１】
スイッチング装置の好ましい実施態様は、接点部分が１つ又は複数のばね要素に分割されることにおいて特徴付けられる。好ましくは、接点部分のばね要素のうちの少なくとも２つは、異なる長さである。接点部分が異なる長さのばね要素で設計される場合、接点部分の重複した設計が達成される。接点部分のこの設計のために、接点部分が開閉接点の領域にある時、それとの特定の電気的接点を有することがいつでも確実になる。
【００２２】
スイッチング装置の好ましい実施態様は、ばね要素が、開閉接点に当接しているそれらの端部で、ばね要素から突出する少なくとも１つの開閉接点を各々有することにおいて特徴付けられる。ばね要素の開閉接点は、開閉接点への電気接続を形成する。
【００２３】
スイッチング装置の他の好ましい実施態様は、滑り接点との接点領域の開閉接点が少なくとも１つの定められた不規則な領域を有することにおいて特徴付けられる。例えば突起又は凹部の形の不規則な領域により、接点部分と滑り接点との間の滑動抵抗は定められた方法で、例えば増加又は減少するように影響され得る。
【００２４】
スイッチング装置の他の好ましい実施態様は、アクチュエータがシーリング要素によってハウジングの方へ密閉されることにおいて特徴付けられる。シーリング要素により、ハウジングの内部に入る汚染物質ができるだけ少ないことが確実にされる。加えて、スナップ動作スイッチング機構によって生成されるノイズの減少は、シーリング要素によって達成される。スナップ動作スイッチング機構を有するスイッチング装置は、一般に迷惑なノイズを生成する。ハウジングの密封により、ノイズはかなり減少する。
【００２５】
スイッチング装置の他の好ましい実施態様は、ハウジングカバーが密封要素によってハウジングを密閉することにおいて特徴付けられる。好ましくは、シーリング要素は、それが外周にハウジング及びハウジングカバーを密閉するように形成される。ハウジングとハウジングカバーとの間の接続を密閉することによって、迷惑なノイズのさらなる減少が達成される。例えば、ハウジングカバーは、スナップ作用接続によってみぞ形のハウジングに好ましくは接続される。あるいは、ハウジングカバーはまたハウジングに機械的に、例えば接着又は溶接されて永久に固定する。ハウジングカバーがハウジングに溶接又は接着される場合、接着剤接合又は溶接が十分な密封を形成することが確実であるならば、さらなる密閉要素は省くことができる。
【００２６】
スイッチング装置の好ましい実施態様は、ハウジングがみぞ形の方法で形成されることにおいて特徴付けられる。みぞ形のハウジングは、そこから４つの側壁が好ましくは垂直に上方に延長する底部をハウジングが有することを意味する。ハウジングの底部において、好ましくは金属接点要素が貫通する開口が存在する。好ましくは、貫通する開口は、ぴったり適合した方法で金属接点要素のサイズ及び形状に調整される。みぞ形のハウジングによって、例えばスイッチング装置がハンダ付けされる時に液体ハンダ付け材料がハウジングの内部に入るのを効果的に防ぐことができる。ハウジングとハウジングカバーとの間の周囲のシーリング要素を有するみぞ形のハウジングが使われる場合、ハウジングの特にしっかりした密封が達成される。しかしながら、ハウジングカバーがハウジングに接着又は溶接されることも可能である。この場合、追加のシーリング要素も同様に提供される、又は、追加のシーリング要素は省略され得る。
【００２７】
スイッチング装置の他の好ましい実施態様は、設計により、圧力がアクチュエータに適用されない場合、スナップ動作スイッチング機構が押圧されない位置に保たれることにおいて特徴付けられる。アクチュエータが押圧されない位置にある場合、スナップ動作スイッチング機構は安定した位置にある。アクチュエータの押圧された位置において、スナップ動作スイッチング機構は、不安定な位置にある。
【００２８】
上記した発明のスイッチング装置の実施態様により、容易にかつ確実にスイッチング動作を実行することができる。
【図面の簡単な説明】
【００２９】
本発明のさらなる利点、特徴及び詳細は、例示的な実施態様が図面に関して詳述される以下のさらなる説明から明らかになる。
【図１】図１は、本発明のスイッチング装置の実施態様の三次元図を示す。
【図２】図２は、図１によるスイッチング装置の断面図を示す。
【図３ａ】図３ａ及び３ｂは、ハウジングのないスイッチング装置の様々な図を示す。
【図３ｂ】図３ａ及び３ｂは、ハウジングのないスイッチング装置の様々な図を示す。
【図４】図４は、接点部分を示す。
【図５】図５は、作用している時のハウジングのないスイッチング装置のさらなる図を示す。
【図６ａ】図６ａ及び６ｂは、スイッチング装置のスナップ動作スイッチング機構の様々な図を示す。
【図６ｂ】図６ａ及び６ｂは、スイッチング装置のスナップ動作スイッチング機構の様々な図を示す。
【図７】図７は、スナップ動作スイッチング機構の第２のアクチュエータ要素の三次元図を示す。
【図８ａ】図８ａ及び８ｂは、スイッチング装置のハウジングの第２のアクチュエータ要素の配置の様々な図を示す。
【図８ｂ】図８ａ及び８ｂは、スイッチング装置のハウジングの第２のアクチュエータ要素の配置の様々な図を示す。
【発明を実施するための形態】
【００３０】
図１は、スイッチング装置１の実施態様の三次元図を示す。スイッチング装置１は、ハウジングカバー２３を有するハウジング２を含む。スイッチング装置１に作用するために、後者はスイッチング装置１の上面を経て作用することができるアクチュエータ３を有する。アクチュエータ３は、シーリング要素１３によってハウジングカバー２３の方へ密閉される。スイッチング装置１を接触させるための複数の接点要素５、６、７、１５、１６、１７は、スイッチング装置１のハウジング２の底面から突出する。
【００３１】
図２は、図１において示される実施態様によるスイッチング装置１の断面図を示す。スナップ動作スイッチング機構９は、スイッチング装置１のみぞ形のハウジング２内に配置される。スナップ動作スイッチング機構９は、引張ばね１２によって互いに接続される第１のアクチュエータ要素１０及び第２にアクチュエータ要素１１を含む。スイッチング装置１に作用するため、圧力がアクチュエータ３によってスイッチング装置１の上面に適用される。アクチュエータ３は、ハウジングカバー２３の開口４により外部へ導かれる。示された実施態様において、周囲のシーリング要素１４が、ハウジング２とハウジングカバー２３との間で配置される。シーリング要素１４により、ハウジング２とハウジングカバー２３と間の接続は汚染物質に透過に対して保護されて、スナップ動作スイッチング機構９が作用する時、外部に透過するノイズの減少が達成される。
【００３２】
アクチュエータ３は第２にアクチュエータ要素１１に圧力を伝え、それによって同時に下に旋回する。第２にアクチュエータ要素１１は、ハウジング２の左の内側の端で支えられる。第２にアクチュエータ要素１１の支持位置の領域において、ハウジングカバー２３は、ハウジング２へとハウジングカバー２３から延長する柄を有する。好ましくは、柄２４は、その支持位置の領域において、第２にアクチュエータ要素１１が垂直方向に望ましくなく、上に移動するのを防ぐような深さまでハウジング２に突出する。柄２４は、スナップ動作スイッチング機構９のスナップの回転式動作がまだ可能であるように、第２のアクチュエータ要素１１のために十分な空間を残す。あるいは、この領域におけるハウジング２の内側の壁上の柄２４の代わりに、ハウジング２の内側の壁上に十分な大きさにされた突起が提供され、前記突起はハウジングカバー２３から出発し、柄２４と同じ機能を満たす。
【００３３】
第２のアクチュエータ要素１１の動作により、引張ばね１２が張力をかけられ、引張ばねの張力が十分に大きくなるとすぐにその安定した休止位置から第１のアクチュエータ要素１０を動かす。第１のアクチュエータ要素１０が下方に旋回し、共通の接点要素５と接点要素７との間の電気接続は、さらなる接点要素６まで切替えられる。圧力がアクチュエータ３に適用されない場合、スナップ動作スイッチング機構９は、その不安定な位置から図２において示されるその安定した休止位置まで、スナップして戻る。
【００３４】
図３ａ及び３ｂは、ハウジング２のないスイッチング装置１の様々な図を示す。図３ａで分かるように、スナップ動作スイッチング機構の第１のアクチュエータ要素１０は、共通の接点１５１で支えられる。共通の接点１５１上の第１のアクチュエータ要素１０の支持位置は、第１のアクチュエータ要素１０の支柱を形成する。接点部分８２は、第１のアクチュエータ要素１０に配置される。接点部分８２は、第１のアクチュエータ要素１０に平行して配置される。第１のアクチュエータ要素１０の動作の間、接点部分８２が同様に旋回するように、接点部分８２も第１のアクチュエータ要素１０の旋回動作の間、第１の開閉接点１７１と第２の開閉接点１６１との間で移動される。第１のアクチュエータ要素１０と共に、接点部分８２は、接点要素１５と２つのさらなる接点要素１６及び／又は１７との間に電気伝導接続を形成する。
【００３５】
第１のアクチュエータ要素１０は、共通の接点５１の支持位置の一端で旋回するように取り付けられる。示された実施態様において、支持点は、共通の接点５１において段の形で構成される。この領域において、ハウジングカバー２３は、ハウジング２に延長し、第１のアクチュエータ要素１０が上方における支持点からあまりに遠くに移動するのを防ぐ柄を好ましくは有する。あるいは、これは、共通の接点５１の、例えばノッチの形での幾何学的な設計によって達成され得る。
【００３６】
図３ｂにおいて示されるスイッチング装置１の実施態様において、前の接点部分８２と同様に前の接点要素１５、１６、１７は、接点要素１５、１６、１７及び／又は５、６、７との間のスナップ動作スイッチング機構９が可視であるように取り除かれる。
【００３７】
図４は、一例による接点部分８１の実施態様を示す。接点部分８１は、異なる長さの２つのばね要素８１１及び８１２を有する。第１のばね要素８１１の長さＬ１は、第２のばね要素８１２の長さＬ２より大きい。第１のばね要素８１１は、Ｕ形に第２のばね要素８１２を囲む。
【００３８】
示されないさらなる実施態様において、接点部分８１は、１つ又は複数のばね式アームを有する。
【００３９】
右側の端で、接点部分８１は、それを経て、スナップ動作スイッチング機構９の第１のアクチュエータ要素１０に取り付け可能である２つの開口８１５を有する。接点部分８１は例えば、レーザー溶接、ハンダ付け又は他のいかなる適切な方法によって第１のアクチュエータ要素１０に機械的に永久に接続され得る。互いに反対側にあるばね要素８１１、８１２の端部で、後者は、開閉接点８１３、８１４を有する。
【００４０】
２つ以上のばね要素８１１、８１２を有する接点部分８１のアセンブリにより、スイッチング装置の信頼性は改良される。しかしながら用途によっては、接点部分８１が１つのばね要素のみを有することで十分である。
【００４１】
異なる長さＬ１、Ｌ２であるばね要素８１１、８１２の配置により、定められた方法で接点部分８１と開閉接点との間の滑動抵抗を変化させることも可能である。開閉接点と接点部分との間の滑動抵抗のさらなる増加のため、開閉接点は、スイッチング動作の前にばね要素の１つまたは複数の開閉接点によって克服されなければならない幾何学的に設計された突起、凹部その他を備える。開閉接点のそのような幾何学的な設計により、定められた滑動抵抗は調節可能である。
【００４２】
図５は、図３ｂにおいて示されるスイッチング装置１の実施態様に類似したスイッチング装置１のさらなる図を示す。図５は、スナップ動作スイッチング機構９が不安定な位置にスナップするアクチュエータ３の作動の間のスイッチング装置１を示す。これで、接点部分８１は、第２の開閉接点６１に当接する。
【００４３】
図６ａ及び６ｂは、スイッチング装置１のスナップ動作スイッチング機構９の様々な図を示す。図５ａは、アクチュエータ３と共にスナップ動作スイッチング機構９を示す。スナップ動作スイッチング機構９は、引張ばね１２によって互いに接続される第１のアクチュエータ要素１０及び第２のアクチュエータ要素１１から構成される。第１の端部１０１の領域において、第１のアクチュエータ要素１０は、下方に旋回するように取り付けられる。第１のアクチュエータ要素１０の対向する端部１０２で、図６ａに示さない共通の接点に旋回するように取り付けられる支持点を有して後者は支持される。第１の端部１１１で、第２のアクチュエータ要素１１は、スイッチング装置１のハウジング２の内側の端上に旋回するように取り付けられる。アクチュエータ３が作用する時、第２のアクチュエータ要素１１の対向する第２の端部１１２は下方に旋回する。好ましくは、アクチュエータ３は、第２のアクチュエータ要素１１の第２の端部１１２を直接押圧する。図６ａにおいて、絶縁部分８は引張ばね１２の領域において、概略的に示される。絶縁部分８は、第１のアクチュエータ要素１０の２つの構成要素１０３、１０４を互いに機械的に接続する。図６ｂにおいて、第１のアクチュエータ要素１０の２つの構成要素１０３、１０４は、スナップ動作スイッチング機構９の三次元図において識別され得る。
【００４４】
図６ｂはまた、引張ばね１２は、好ましくは第１のアクチュエータ要素１０の構成要素１０３の金属小穴１０５に引っかかることを明らかにする。あるいは、引張ばね１２はまた、第１のアクチュエータ要素１０のさらなる構成要素１０４上へ引っかかる。機械的に２つの構成要素１０３、１０４を互いに接続する図６ａにおいて示される絶縁部分８によって、引張ばね１２に作用する力はしたがって、第１のアクチュエータ要素１０の２つの構成要素１０３、１０４に作用する。第２のアクチュエータ要素１１がその第１の端部１１１で凹部１１３を有することがまた図６ｂからもわかる。第２のアクチュエータ要素１１は、詳細に図７に示される。
【００４５】
図７は、スナップ動作スイッチング機構９の第２のアクチュエータ要素１１の三次元図を示す。その第１の端部１１１で、第２のアクチュエータ要素１１は、凹部１１３を有する。図７において示される第２のアクチュエータ要素１１の実施態様において、凹部１１３はＵ形に設計される。その第２の端部１１２で、第２のアクチュエータ要素１１は開口１１４を有する。図６ａ及び６ｂにおいて示される引張ばね１２は、開口１１４を経て第２のアクチュエータ要素１１上へ引っかけられる。第２のアクチュエータ要素１１の動作の場合には、張力はしたがって引張ばね１２を経て第１のアクチュエータ要素１０に適用される。
【００４６】
図８ａ及び８ｂは、スイッチング装置１のハウジング２の第２のアクチュエータ要素１１の配置の様々な図を示す。図８ａ及び８ｂは、スイッチング装置１のハウジング２においてより良好な第２のアクチュエータ要素１１の配置を見るため、スナップ動作スイッチング機構９の部分を示さない。その第１の端部１１１で、第２のアクチュエータ要素１１は、ハウジング２の内側の端２１上に旋回するように取り付けられる。ハウジング２の内側の端２１上に、第２のアクチュエータ要素１１の第１の端部１１１の凹部１１３と係合する突起２２が、好ましくは配置される。突起２２及び凹部１１３により、第２のアクチュエータ要素１１は、ハウジング２内部の横方向のずれを防ぐ。突起２２の形状及び凹部１１３の形状は、互いにできるだけ共存できるような方法で設計される。突起２２の形状及び凹部１１３の形状は、図において示される形状に制限されない。
【００４７】
図８ｂはまた、ハウジング２の内側の壁上の２つの開閉接点６１及び７１が、ハウジング２の内側の壁の部分２４が、ハウジング２の内側の壁全体の第１の開閉接点６１から第２の開閉接点７１に延長している表面はできる限り平面であるように２つの開閉接点６１、７１の間で配置されて取り付けられることを明らかにする。その結果、接点部分８１は、第１の接点部分が移動した時、２つの開閉接点６１及び／又は７１間で容易に摺動することができる。さらなる開閉接点１６１及び／又は１７１の領域の反対側上のハウジング２の内側の壁は、対応して設計される。第１のアクチュエータ要素１０が旋回する共通の接点５１は、第１のアクチュエータ要素１０がその上で旋回するように取り付けられるために、それらはハウジング２の側面の壁から間隔を置かれるように好ましくは配置される。好ましくは、共通の接点５１は、しかしながら、共通の接点５１間でアクチュエータ３が上下に移動するのに十分な空間があるような距離で横方向に互いに間隔を置かれる。
【００４８】
図１から８ｂは、３つの接点要素の２つの群を有しているスイッチング装置の一実施態様のみ（５、６、７及び／又は１５、１６、１７）を示す。スイッチング装置は、しかしながらこの実施態様に制限されない。例えば、スイッチング装置はそれぞれ、接点要素の２つ以上の群を有することができる。好ましくは、スナップ動作スイッチング機構は、接点要素の２つの隣接した群の間で配置される。好ましくは、複数のスナップ動作スイッチング機構は、同期スイッチング動作が接点要素のすべての群で実行されるように共通のアクチュエータによって作用され得る。
【００４９】
図１から８ｂにおいて示されるスイッチング装置１の実施態様において、接点部分は、スイッチング動作の間、第２の開閉接点の接触が起こる前に、最初に第１の開閉接点から分離される。あるいは、第２の開閉接点の接触は、第１の開閉接点の分離が確立される前に、すでに起こり得る。
【００５０】
１つの共通の接点及び２つの開閉接点を有している実施態様のみに関して、本発明のスイッチング装置が図１から８ｂに示される場合であっても、本発明のスイッチング装置は、スナップ動作スイッチング機構が作用される場合、切替えられない位置から共通の接点と開閉接点との間の電気接続、又は、切替えられた位置から切替えられない位置への電気接続の切断を確立する１つの開閉接点のみを各々の側に有することも可能である。
【符号の説明】
【００５１】
１：スイッチング装置
２：ハウジング
２１：ハウジング２の内側の端
２２：内側の端２１上の突起
２３：ハウジングカバー
２４：柄
３：アクチュエータ
４：ハウジングカバー２３の開口
５：接点要素
５１：共通の接点
６：接点要素
６１：開閉接点
７：接点要素
７１：開閉接点
８：絶縁要素
８１：接点部分
８１１：ばね要素
８１２：ばね要素
８１３：開閉接点
８１４：開閉接点
８１５：開口
８２：接点部分
９：スナップ動作スイッチング機構
１０：第１のアクチュエータ要素
１０１：第１のアクチュエータ要素１０の第１の端部
１０２：第１のアクチュエータ要素１０の第２の端部
１０３：第１のアクチュエータ要素１０の構成要素
１０４：第１のアクチュエータ要素１０の構成要素
１０５：小穴
１１：第２のアクチュエータ要素
１１１：第２のアクチュエータ要素１１の第１の端部
１１２：第２のアクチュエータ要素１１の第２の端部
１１３：凹部
１１４：開口
１２：引張ばね
１３：シーリング要素
１４：シーリング要素
１５：接点要素
１５１：共通の接点
１６：接点要素
１６１：開閉接点
１７：接点要素
１７１：開閉接点
Ｌ１：ばね要素８１１の長さ
Ｌ２：ばね要素８１１の長さ
【図１】
2012199239.tif 000003
【図２】
2012199239.tif 000004
【図３ａ】
2012199239.tif 000005
【図３ｂ】
2012199239.tif 000006
【図４】
2012199239.tif 000007
【図５】
2012199239.tif 000008
【図６ａ】
2012199239.tif 000009
【図６ｂ】
2012199239.tif 000010
【図７】
2012199239.tif 000011
【図８ａ】
2012199239.tif 000012
【図８ｂ】
2012199239.tif 000013
【外国語明細書】
2012199239000001.pdf